(57)【特許請求の範囲】
【請求項１】
モータおよび電池を収納し上部を開口した容器状の下部ケースと、前記モータおよび電池を保持した保持部上の蓋部で前記下部ケースの開口を閉塞するとともに蓋部周縁と前記下部ケース内面とを水密に嵌合したモータ支えと、このモータ支えの蓋部の上部に位置して前後割にした前ケースおよび後ケースを一体に係止して配設した上部ケースと、この上部ケース内に設られ前記モータの回転軸に係合して回転する回転体と、前記上部ケースに形成した開口部に配設され前記回転体に着脱自在に係合して回転する回転アタッチメントと、前記上部ケース内に設けられ前記モータの回転運動により駆動されるエアポンプ機構と、このエアポンプ機構のポンプ室に連通し一端を前記上部ケースの開口部に臨ませた円筒軸と、この円筒軸の端部に着脱自在に配置される吸引アタッチメントと、前記モータ支えにおける蓋部から上部ケース内の前記前ケースと後ケースとの接合部分に対応する一側への突出空間を一体に形成したスイッチ収納部と、このスイッチ収納部に収納され、前記前ケースと後ケースとの接合部分に位置するとともに前記接合部分の外方に設けた操作片とシール体を介して水密に連結した電源スイッチとからなることを特徴とする洗顔マッサージ器。
【請求項２】
突出空間における上部ケースの前ケースと後ケースとの接合部分に操作片のスイッチ係止部が挿通する長穴を穿設し、長穴の周囲に形成した抱持部によって板状シールパッキンとスイッチガイド板を前記前ケースと後ケースとの接合部分の内面側に挟着することで、操作片を摺動移動可能に保持したことを特徴とする請求項１記載の洗顔マッサージ器。
【請求項３】
回転体の回転軸と円筒軸とをモータの回転軸に対して直交させ、上部ケース内における横断投影空間部に電源スイッチを配したことを特徴とする請求項１または２に記載の洗顔マッサージ器。
【請求項４】
下部ケースの下端に保持台の凸部と係合する凹陥部を形成したことを特徴とする請求項１乃至３のいずれかに記載の洗顔マッサージ器。
【発明の詳細な説明】
【０００１】
【発明の属する技術分野】
本発明は、洗顔マッサージ器に係り、特に吸引機能および回転機能を有するものに関する。
【０００２】
【従来の技術】
洗顔マッサージ器は種々のものが提案されており、アタッチメントの切り換えにより、ブラシを回転させて洗顔したり、あるいは吸引により皮膚の油脂分などの汚れを除去する機能を有したものが商品化されている。
【０００３】
従来のこれら洗顔マッサージ器は、例えば、特開昭５３−１３３１４９号公報に示されているように、モータによって駆動される回転部材および吸引ポンプ部材を設け、これらにそれぞれ回転アタッチメントあるいは吸引アタッチメントを装着するものであり、スイッチの切り換えによって回転あるいは吸引動作をおこなうようにしている。
【０００４】
前記公開公報に記載の発明においては、アタッチメントを装着したままでの水洗い等は意図されておらず、防水構成は考慮されていないが、現在においては、これら洗顔マッサージ器は主に浴室などで使用されるものであり、使用後の水洗いも含めて防水機能は必然的に必要となるものである。
【０００５】
したがって、近年、商品化されたものは、モータや電池収納部、およびスイッチ部など電気部品の設置部に対してシールパッキンによる防水機構を備えているものが多くなっている。
【０００６】
【発明が解決しようとする課題】
しかしながら、これら従来構成では、全体構造を簡素化するため、電源スイッチ部を、同様に防水構成を必要とするモータや電池部分とともに下部ケース内に収納設置しており、その結果、スイッチ部は手元操作が容易なモータ部に対応する下部ケースの前面に配置されていた。
【０００７】
上記従来構成の場合、防水機構部を下部に集中させることで、シール機構は簡素化されるが、前述のごとく、モータの前部に電源スイッチを配置していることから、下部ケースの厚みが増大し全体的に肥大化し、あるいは、厚みを減らすために設置位置をずらせば縦長になる。したがって、器機として持ちにくく、また操作し難くなるばかりでなく、外観意匠的にも薄形にできないなどの不具合があった。
【０００８】
本発明は、上記点に着目してなされたものであり、吸引、回転機能を有する防水型洗顔マッサージ器の薄形化、小形化をはかって、持ちやすさや操作性など使い勝手を向上させるとともに、外観意匠を向上させた洗顔マッサージ器を提供することを目的とする。
【０００９】
【課題を解決するための手段】
上記課題を解決するために、請求項１記載の発明における洗顔マッサージ器は、モータおよび電池を収納し上部を開口した容器状の下部ケースと、前記モータおよび電池を保持した保持部上の蓋部で前記下部ケースの開口を閉塞するとともに蓋部周縁と前記下部ケース内面とを水密に嵌合したモータ支えと、このモータ支えの蓋部の上部に位置して前後割にした前ケースおよび後ケースを一体に係止して配設した上部ケースと、この上部ケース内に設られ前記モータの回転軸に係合して回転する回転体と、前記上部ケースに形成した開口部に配設され前記回転体に着脱自在に係合して回転する回転アタッチメントと、前記上部ケース内に設けられ前記モータの回転運動により駆動されるエアポンプ機構と、このエアポンプ機構のポンプ室に連通し一端を前記上部ケースの開口部に臨ませた円筒軸と、この円筒軸の端部に着脱自在に配置される吸引アタッチメントと、前記モータ支えにおける蓋部から上部ケース内の前記前ケースと後ケースとの接合部分に対応する一側への突出空間を一体に形成したスイッチ収納部と、このスイッチ収納部に収納され、前記前ケースと後ケースとの接合部分に位置するとともに前記接合部分の外方に設けた操作片とシール体を介して水密に連結した電源スイッチとからなることを特徴とするものである。
【００１０】
この構成によれば、吸引、回転機能を有する洗顔マッサージ器を防水型とすることができるばかりでなく、薄形化、小形化が可能となることで、持ちやすく、且つ操作性など使い勝手を良好にし、外観意匠を向上させることができる。また、電気スイッチを下部ケース内に設けることなく上部ケース内空間に効率良く配置でき、構成部品数も少なくして安価に製造することができる。
【００１２】
請求項２記載の発明は、突出空間における上部ケースの前ケースと後ケースとの接合部分に操作片のスイッチ係止部が挿通する長穴を穿設し、長穴の周囲に形成した抱持部によって板状シールパッキンとスイッチガイド板を前記前ケースと後ケースとの接合部分の内面側に挟着することで、操作片を摺動移動可能に保持したことを特徴とし、少ない部品数で確実な防水機構を有するスイッチ部構成が得られる。
【００１３】
請求項３記載の発明は、回転体の回転軸と円筒軸とをモータの回転軸に対して直交させ、上部ケース内における横断投影空間部に電源スイッチを配したことを特徴とするものであり、使い勝手のよい部品レイアウトを損なうことなく効率的スペースで電源スイッチを配置することができる。
【００１４】
請求項４記載の発明は、下部ケースの下端に保持台の凸部と係合する凹陥部を形成したことを特徴とするものであり、簡易な構成で設置スペースをとらずに、洗顔マッサージ器を立てた状態で安定して保持でき、意匠的にも新鮮な構成とすることができる。
【００１５】
【発明の実施の形態】
以下、図面にしたがって本発明の１実施形態を説明する。図１は本発明に係る洗顔マッサージ器を示す正面図、図２は図１のＡ−Ａ線に沿う縦断面図であり、図３は上部ケース部分の横断面図、図４はモータ支え部の下面図、図５は外観を示す斜視図である。
【００１６】
洗顔マッサージ器（１）は、図５の斜視図に示すように、下部ケース（２）とその上部に位置する前後割にした上部ケース（３）から外観を形成しており、前ケースおよび後ケースを数カ所の凹凸係合で一体に係止した上部ケース（３）の前面には、詳細を後述する回転アタッチメントや吸引アタッチメントを装着する開口（４）を設けており、上部ケース（３）の側面には、電源スイッチの操作片（５）を配置している。さらに、図２に示されるように、上部ケース（３）の背面には、洗顔マッサージ器（１）の動作を回転か吸引動作に切り換える切換ノブ（６）を設けている。
【００１７】
下部ケース（２）は、底部を閉塞し上面を開口した容器状をなし、横断面を図３に示すように、幅広薄厚の長円形にして女性が把持しやすい形状にしており、その内部空間には、図１や図４に示すように、モータ（７）および電池（８）を収納している。
【００１８】
（９）は、モータ支えであり、前記下部ケース（２）の上面開口を閉塞するように蓋部（10）を設けており、この蓋部（10）の周縁を下方に垂下して下部ケース（２）における開口部近傍の内面との重合部（11）を形成するとともに、重合部(11)の両側の一部をさらに下方に延出して先端に係止爪（11ａ）を設け、下部ケース内面の係止凹部（２ａ）と係合するようにしている。
【００１９】
また前記重合部（11）には全周に亙る環状溝（11ｂ）を形成しており、この環状溝内に紐状の弾性シールパッキン（12）を配設することで下部ケース（２）の内面と密着シールし、前記係止爪（11ａ）と係止凹部（２ａ）との係合による位置決め作用と合わせて下部空間内に水分が浸入することがない防水構造を形成している。
【００２０】
モータ支えの蓋部（10）の下方中央には、回転駆動するモータ（７）を取り付けている。モータの回転軸（７ａ）は、蓋部（10）の中央開口（10ａ）を貫通するとともに開口（10ａ）との間隙はモータ軸ガスケット（13）でシールし、中央から上方へ突出させて小径の駆動ギア（15）を固着している。
【００２１】
モータ支えの蓋部（10）におけるモータ（７）保持部の左右には円筒形状の電池保持体（16）を設け、２本の電池（８）を挿入方向を変えて収納するとともに、下部ケース（２）の下方に形成したリブに取り付けた板状端子バネ（17）によって２本の電池（８）を直列接続となるように保持している。
【００２２】
前記駆動ギア（15）の上部における前記モータ（７）の回転軸（７ａ）には、偏心して回動するポンプ弁ブッシュ（18）を固着しており、ポンプ弁ブッシュ（18）には上部カバー（３）の背方に位置する弾性ゴムで成形されたダイヤフラム（19）が取り付けられている。このダイヤフラム（19）の開口側をポンプカバー（20）で閉塞することにより内部にポンプ室（21）を形成し、モータ（７）の駆動によるポンプ弁ブッシュ（18）の偏心回転でダイヤフラム（19）に往復運動を与えて、ポンプ室（21）がポンプ動作をおこなうようにしている。
【００２３】
また、モータ支え（９）の蓋部（10）の上部には、蓋部と一体に基板部（22）を立設しており、基板部（22）における上部ケースの開口（４）に対向する部位には、開口（４）に指向して円筒軸（23）を一体成形し、吸引アタッチメント（25）や、図６に示す回転アタッチメント（40）を装着している。
【００２４】
円筒軸（23）は、その長さ方向に亙って内面に前記ポンプ室（21）と連通する空気通路（27）を設けており、その先端外周には環状溝を設けてこれにリング状の弾性パッキン（28）をはめ込み、吸引アタッチメント（25）の固定軸孔（25ａ）を気密に、且つ、着脱自在に嵌着するようにしている。
【００２５】
図７に斜視図を示す吸引アタッチメント（25）は、前記固定軸孔（25ａ）と連通する透孔（25ｂ）を穿設したカップ状の基台（25ｃ）の開口端縁に、同じくカップ状で弾性体からなり、底面に前記透孔（25ｂ）に連通する数個の小孔（26ａ）を設けたゴムキャップ（26）を取着したものである。
【００２６】
また、要部の詳細縦断面図である図８に示すように、前記ポンプ室（21）の背面を形成するポンプカバー（20）面には、空気口（20ａ）が形成されており、この空気口（20ａ）には開口を閉塞するシール体（29ａ）を貼りつけた断面をく字状に折曲した板体（29）を配設している。さらに、板体（29）に対応する上部ケース（３）には、上下に摺動する切換ノブ（６）を設けて吸引と回転動作の切り換えをおこなうようにしており、切換ノブ（６）の移動とともに切換ノブの上部ケース（３）内面側に取り付けたレバー（30）が移動することで、前記折曲板体（29）をシーソー動作で回動させるようにしている。
【００２７】
そして、切換ノブ（６）を下方に摺動させた際には、板体（29）の回動でシール体（28）が空気孔（20ａ）を閉塞することで、ダイヤフラム（19）のポンプ作用による吸引アタッチメント（25）での吸引作用をおこない、逆に、切換ノブ（６）を上方に移動させた場合は、空気口（20ａ）を開放させることででダイヤフラム（19）を往復させずポンプが働かないようにしている。
【００２８】
基板部（22）の一側には、その要部詳細断面を図９、および分解斜視図を図10に示すように、蓋部（10）から上方への突出空間を一体に形成してスイッチ収納部（31）を隣設している。このスイッチ収納部（31）は前記下部ケース（２）の内部空間と連通する空間であり、電源スイッチ（32）を収納固定している。
【００２９】
電源スイッチ（32）は、前記上部ケース（３）側面における前後分割した接合部分に形成した透孔（33）に対向して設けられており、前記モータ支え（９）の上方への突出空間であるスイッチ収納部（31）の側壁に操作片（５）のスイッチ係止部（５ａ）が挿通する長穴（31ａ）を穿設し、長穴の上部および下方には抱持片（31ｂ）を一体に突設している。
【００３０】
操作片（５）のスイッチ係止部（５ａ）には、長穴（31ａ）側に環状リブを設けた板状シールパッキン（34）を設け、透孔（33）側には硬質板からなるスイッチガイド（35）を上部ケース（３）の内面側に挟着することで、電源スイッチ（32）に対して操作片（５）を上下に摺動移動可能に保持しており、前記板状シールパッキン（34）には、スイッチ係止部（５ａ）を嵌挿させた孔（34ａ）の周縁に環状の凹凸条（34ｂ）からなる蛇腹構造を形成することによって、操作片（５）の摺動方向に対して柔軟に弾性変形し、上部ケースの透孔（33）からの浸入水があってもスイッチ収納部（31）内に浸入することを防止している。
【００３１】
以上の構成により、スイッチ収納部（31）のみならず、モータ（７）や電池（８）の収納部への水の浸入を防止しており、この洗顔マッサージ器（１）を誤って浴槽など水中に落とした場合もなんら問題はない。また、操作片（５）あるいは上部ケースの前面開口（４）からケース内部に水分が入ることもあるが、このような場合は、図８に示す上部ケースの背面に形成した水抜き穴（37）から水抜きしてやればよい。
【００３２】
なお、前記電源スイッチ（32）の操作片（５）は、長穴（31ａ）の中央部位置をオフ点とし、上方への摺動でモータ（７）を高速回転し、下方移動で低速回転に切り換えるようにして、各アタッチメント（25）（27）の吸引力や回転速度を変化させてもよい。
【００３３】
しかして、前記モータ（７）の駆動ギア（15）には、モータの回転軸に対して直交し、上部ケース（３）の前面の開口（４）に回転軸を指向した大径の傘状回転ギアからなる回転体（38）の周縁に設けたギア（38ａ）が係合している。この回転体（38）は、図６、および図８にその詳細を示すように、前記基板部（22）から前方に延出する円筒軸（23）にブッシュ（39）を介してその回転軸を固着しており、駆動ギア（15）の回転方向を上部ケースの開口（４）に面する前方向の回転に変更するものである。
【００３４】
この回転体（38）に、上部ケースの開口（４）を介して洗顔あるいはマッサージ機能を有する回転アタッチメント（40）を着脱自在に係合して取着するものであり、図６には、ボールマッサージャー（41）を取り付けた例を示している。回転アタッチメント（40）は、図11に示すように、表面に複数のボール（41ａ）を半球状に回動自在に突出させるようにしたボールマッサージャー（41）や、図12やその断面図である図13に示すように、回転表面にブラシ（42ａ）を植設した洗顔ブラシ（42）であり、回転体（38）の回転軸近傍に形成した係合凹部（38ｂ）に弾性変形して係合する係合凸部（41ｂ）（42ｂ）を形成してなり、回転体（38）の回転にともなって回転駆動することで、顔表面を洗顔し、またマッサージするものである。
【００３５】
下部ケース（２）の下端には、凹部（２ｂ）を形成している。この凹部（２ｂ）は、図６、および斜視図を図14に示すように、保持台（43）に洗顔マッサージ器本体（１）を保持するものであり、保持台（43）の内面形状を下部ケース（２）の下端形状に合致させるとともに、保持台（43）の内面凹陥部（43ａ）に形成した凸起（43ｂ）と前記凹部（２ｂ）とを係合させることにより、きわめて簡易な構成で設置スペースをとらずに洗顔マッサージ器（１）を安定して立設保持でき、意匠的にも新鮮な構成とすることができる。
【００３６】
なお、図３に示すように、前記スイッチ収納部（31）は、上部ケース（３）内における回転体（38）裏側の前記基板部（22）の側部投影空間に配置しており、従来は使用されていない空間を有効に活用したものであり、他の部品配列になんら機能上の影響を与えるものではない。
【００３７】
上記構成による洗顔マッサージ器（１）を組み立てるには、以下のようにおこなう。まず、モータ支え（９）の蓋部（10）の下方においては、モータ（７）の回転軸（７ａ）との間隙をシールパッキン（13）でシールするとともに、電源スイッチ（32）、モータ（７）および電池保持体（16）より２本の電池を取り付ける。蓋部（10）上部においては、上方に突出する回転軸（７ａ）に駆動ギア（15）およびダイヤフラム（19）が形成されたポンプ弁ブッシュ（18）を取着する。
【００３８】
そして、ダイヤフラム（19）の背部にポンプカバー（20）をネジ固定し、基板部（22）の前面における円筒軸（23）にブッシュ（39）を介して回転体（38）を嵌入固定することで駆動機構部分の一体化が完了する。
【００３９】
次に、一体化した前記組立体を下部ケース（２）内に嵌入する。このときモータ支え（９）の環状溝（11ｂ）に配設した紐状シールパッキン（12）が下部ケース（２）の内側内面に密着しつつ嵌入するため、下部ケース（２）の内部はシールパッキン（12）により確実に防水シールされる構成となる。
【００４０】
スイッチ収納部（31）の長穴（31ａ）には、図９および分解図を図10から明らかなように、板状シールパッキン（34）、スイッチガイド（35）を介して操作片（５）を抱持片（31ｂ）との係合により取り付け、この状態で、前後に分割形成した上部ケース（３）を数カ所の係止爪（３ａ）による凹凸係合でモータ支え（９）上に組み付けることで洗顔マッサージ器本体（１）の組立を完了する。
【００４１】
そして、使用の際は、用途に応じて、吸引アタッチメント（25）やボールマッサージャー（41）あるいは洗顔ブラシ（42）などの回転アタッチメント（40）を上部ケース開口部（４）の円筒軸部（23）に嵌入、あるいは回転体（38）に係合させればよいものである。
【００４２】
次に、本発明の動作について説明する。洗顔ブラシ（42）やボールマッサージャー（41）などの回転アタッチメント（40）を使用する場合は、上部ケース（３）背面の切換ノブ（６）を上方に移動させた状態で電源スイッチ（32）の操作片（５）を摺動しモータ（７）を駆動させる。モータ駆動により駆動ギア（15）が回転し、このギアにかみ合っているギア（38ａ）により回転体（38）が円筒軸（23）を中心軸として回転することで、回転体の回転軸近傍の係合凹部（38ｂ）に係合しているアタッチメントの係合凸部（41ａ）（42ａ）によって回転アタッチメント（40）が回転する。
【００４３】
回転アタッチメントが洗顔ブラシ（42）の場合は、あらかじめブラシ（42ａ）部分に石鹸をつけておき、顔など皮膚面にブラシ部分を押し当てることで洗顔をおこなう。洗顔が終了すれば、そのまま洗面器の湯中で回転を継続すれば、ブラシ部の洗浄も容易におこなうことができる。また、回転アタッチメント（40）を変える場合には、電源スイッチ（32）をオフにするとともに前記係合部（38ｂ）（41ａ）の凹凸の係合関係を解除して取り外し、他のアタッチメントを同様に取り付ければよい。
【００４４】
このとき、モータ（７）の回転により、ポンプ弁ブッシュ（18）が回動しダイヤフラム（19）が往復運動をおこなうが、前記切換ノブ（６）のレバー（30）が上方にあるため、折曲板体（29）のシール体（29ａ）はポンプ室（21）の空気孔（20ａ）を閉塞していないためポンプ動作はおこなわれない。
【００４５】
また、吸引作用をおこなう場合には、上部ケース（３）背面の切換ノブ（６）を下方に移動させて、図２に示す吸引アタッチメント（25）の固定軸孔（25ａ）を基板部（22）の円筒軸（23）の先端にリング状パッキン（28）を利用して嵌着する。
【００４６】
この状態で操作片（５）を摺動して電源スイッチ（32）をオンし、吸引アタッチメント（25）のゴムキャップ（26）の周縁部を皮膚面に密着させれば、モータ（７）の回転によりポンプ弁ブッシュ（18）が偏心して回転し、これによってダイヤフラム（19）が往復運動してポンプ作用をおこなう。
【００４７】
ポンプ作用は、ダイヤフラム（19）が往復動で圧縮された後引っ張られ、ポンプ室（21）の容積が膨張する際の負圧により、円筒軸（23）の空気通路(27)から吸引カップ基台（25ｃ）の内部空気を引き込み、皮膚表面の油脂分などの汚れを吸引除去するものである。吸引された空気は次のダイヤフラム（19）の圧縮時に基板部（22）に形成した排気弁から外部に排出されるものであり、以降この吸引排気作用を継続する。
【００４８】
上記吸引動作の場合も、吸引アタッチメント（25）を取り付けたままで洗浄することができるものであり、上部ケースの開口（４）から湯水が浸入しても電源スイッチ（32）やモータ（７）など電気部品を収納している下部ケース（２）内などにはシールパッキン（12）やモータ軸ガスケット（13）、板状シールパッキン（34）により充分な防水構成が採用されているため故障の危険がない。
【００４９】
【発明の効果】
以上説明したように、請求項１の発明によれば、吸引、回転機能を有する洗顔マッサージ器を簡単な構成で防水型とすることができるばかりでなく、薄形化、小形化が可能となることで、持ちやすく、且つ操作性など使い勝手を良好にし、外観意匠を向上させることができる。
【００５０】
請求項２の発明によれば、電気スイッチを下部ケース内に設けることなく上部ケース内空間に効率良く配置でき、構成部品数も少なくして安価に製造することができ、請求項３の発明によれば、少ない部品数で確実な防水機構を有するスイッチ部構成が得られる。
【００５１】
請求項４の発明によれば、使い勝手のよい部品レイアウトを損なうことなく効率的スペースで電源スイッチを配置することができる。
【００５２】
請求項５の発明によれば、洗顔マッサージ器を、簡易な構成で設置スペースをとらずに、立てた状態で安定して保持でき、意匠的にも新鮮な構成とすることができる。
【図面の簡単な説明】
【図１】本発明の洗顔マッサージ器の１実施形態を示す正面図である。
【図２】図１のＡ−Ａ線に沿う縦断面図である。
【図３】図２における上部ケース部分の横断面図である。
【図４】図２におけるモータ支え部の下面図である。
【図５】本発明の洗顔マッサージ器の外観を示す斜視図である。
【図６】図２の洗顔マッサージ器に回転アタッチメントおよび保持台を取り付けた縦断面図である。
【図７】図２における吸引アタッチメントの斜視図である。
【図８】図２の要部の拡大断面図である。
【図９】図１における電源スイッチ部の要部を示す拡大断面図である。
【図１０】図９に示す電源スイッチ部の分解斜視図である。
【図１１】回転アタッチメントのボールマッサージャーを示す斜視図である。
【図１２】回転アタッチメントの洗顔ブラシを示す斜視図である。
【図１３】図12に示す洗顔ブラシの断面図である。
【図１４】洗顔マッサージ器の保持台を示す斜視図である。
【符号の説明】
１…洗顔マッサージ器  ２…下部ケース        ２ａ…係止凹部
２ｂ…凹部            ３…上部ケース        ３ａ…係止爪
４…開口              ５…操作片            ６…切換ノブ
７モータ              ７ａ…回転軸          ８…電池
９…モータ支え        10…蓋部              10ａ…中央開口
11…重合部            11ａ…係止爪          11ｂ…環状溝
12…シールパッキン    13…モータ軸ガスケット    15…駆動ギア
16…電池保持体        17…板状端子バネ      18…ポンプ弁ブッシュ
19…ダイヤフラム      20…ポンプカバー      20ａ…空気孔
21…ポンプ室          22…基板部            23…円筒軸
25…吸引アタッチメント    25ａ…固定軸孔    25ｂ…透孔
25ｃ…基台            26…ゴムキャップ      26ａ…小孔
27…空気通路          28…リング状パッキン  29…板体
29ａ…シール体        30…レバー            31…スイッチ収納部
31ａ…長穴            31ｂ…抱持片          32…電源スイッチ
33…透孔              34…板状シールパッキン      34ａ…孔
34ｂ…環状凹凸条      35…スイッチガイド    37…水抜き孔
38…回転体            38ａ…ギア            39…ブッシュ
40…回転アタッチメント      41…ボールマッサージャー
41ａ…ボール          42…洗顔ブラシ        42ａ…ブラシ
41ｂ、42ｂ…係合凸部      43…保持台        43ａ…内面凹陥部
43ｂ…凸起
【図１】
0004025117.tif 000002
【図２】
0004025117.tif 000003
【図３】
0004025117.tif 000004
【図４】
0004025117.tif 000005
【図５】
0004025117.tif 000006
【図６】
0004025117.tif 000007
【図７】
0004025117.tif 000008
【図８】
0004025117.tif 000009
【図９】
0004025117.tif 000010
【図１０】
0004025117.tif 000011
【図１１】
0004025117.tif 000012
【図１２】
0004025117.tif 000013
【図１３】
0004025117.tif 000014
【図１４】
0004025117.tif 000015